(57)【要約】【課題】着脱が簡単であると共に不正開錠行為を抑止、防止することが可能な不正開錠抑止防止装置を提供する。【解決手段】不正開錠抑止防止装置１０の鍵穴挿入取付体１４には第１フック収容溝２１、第２フック収容溝２２、第３フック収容溝２３が形成されている。鍵穴挿入取付体１４の円柱部１８に配設されたフック出没調節ドラム２４の円柱部挿入部２６には第１フック係止段部３１、第２フック係止段部３２、第３フック係止段部３３と第１フック出没調節曲面３４、第２フック出没調節曲面３６、第３フック出没調節曲面３８が形成されている。前記鍵穴配設体１４の第１フック収容溝２１には第１フック８１が、前記第２フック収容溝２２には第２フック８２が、前記第３フック収容溝２３には第３フック８３が出没可能に収容されている。前記円柱部１８にはセンサー８８が内蔵されている。【選択図】図１
2008127835.tif 000002
【特許請求の範囲】
【請求項１】
鍵穴に鍵穴挿入取付体の鍵穴挿入部が挿入された状態で配設される不正開錠抑止防止装置であって、前記鍵穴挿入部に出没可能に配設されたフックと、このフックの出没を調節するフック出没調節体と、前記鍵穴挿入取付体に設けられたセンサーと、を有してなることを特徴とする不正開錠抑止防止装置。
【請求項２】
鍵穴に鍵穴挿入取付体の鍵穴挿入部が挿入された状態で配設される不正開錠抑止防止装置であって、前記鍵穴挿入部に出没可能に配設されたフックと、このフックの出没を調節するフック出没調節体と、前記鍵穴挿入取付体に固定されたトッププレートに貫通形成されると共に前記鍵穴挿入部が挿通する第１の鍵穴挿入部挿通部と、前記トッププレートに貫通形成されると共に前記フックが挿通する第１のフック挿通部と、前記鍵穴挿入取付体に内蔵されたセンサーと、を有してなることを特徴とする不正開錠抑止防止装置。
【請求項３】
鍵穴に鍵穴挿入取付体の鍵穴挿入部が挿入された状態で配設される不正開錠抑止防止装置であって、前記鍵穴挿入取付体に形成されたフック収容溝と、このフック収容溝に出没可能に収容されたフックと、前記鍵穴挿入取付体に取り付けられると共に前記フック収容溝に収容されたフックの出没を調節するフック出没調節体と、前記シリンダードラムのドラム部の先端部に取り付けらたトッププレートに貫通形成されると共に前記鍵穴挿入部が挿通する第１の鍵穴挿入部挿通部と、前記トッププレートに貫通形成されると共に前記フックが挿通する第１のフック挿通部と、前記フック出没調節体に取り付けられたプッシャーケースと、このプッシャーケースの先端部に貫通形成されると共に前記鍵穴挿入部が挿通する第２の鍵穴挿入部挿通部と、前記プッシャーケースを前方向に付勢する弾性体と、前記鍵穴挿入取付体に内蔵されたセンサーと、を有してなることを特徴とする不正開錠抑止防止装置。
【請求項４】
鍵穴に鍵穴挿入取付体の鍵穴挿入部が挿入された状態で配設される不正開錠抑止防止装置であって、前記鍵穴挿入取付体に形成された第１フック収容溝、第２フック収容溝、第３フック収容溝と、前記第１フック収容溝に出没可能に収容された第１フックと、前記第２フック収容溝に出没可能に収容された第２フックと、前記第３フック収容溝に出没可能に収容された第３フックと、前記鍵穴挿入取付体に取り付けられると共に前記第１フック、第２フック、第３フックの出没を調節するフック出没調節体と、前記鍵穴挿入取付体の円柱部の先端に固定されたトッププレートに貫通形成されると共に前記鍵穴挿入部が挿通するトッププレート鍵穴挿入部挿通部と、前記トッププレートに貫通形成されると共に前記第１フックが挿通するトッププレート第１フック挿通部と、前記トッププレートに貫通形成されると共に前記第２フックが挿通するトッププレート第２フック挿通部と、前記トッププレートに貫通形成されると共に前記第３フックが挿通するトッププレート第３フック挿通部と、前記フック出没調節体に移動可能に取り付けられたプッシャーケースと、このプッシャーケースの先端部に貫通形成されると共に前記鍵穴挿入部が挿通するプッシャーケース鍵穴挿入部挿通部と、前記プッシャーケースの先端部に貫通形成されると共に前記第１フックが挿通するプッシャーケース第１フック挿通部と、前記プッシャーケースの先端部に貫通形成されると共に前記第２フックが挿通するプッシャーケース第２フック挿通部と、前記プッシャーケースに内蔵されると共にプッシャーケースを前方向に付勢する弾性体と、前記円柱部に内蔵されたセンサーと、を有してなることを特徴とする不正開錠抑止防止装置。
【発明の詳細な説明】
【技術分野】
【０００１】
本発明は、例えばパチスロ機等の遊技機の電源ボックスの不正開錠を抑止すると共に不正開錠を防止等することができる不正開錠抑止防止装置に関する。
【背景技術】
【０００２】
遊技機としてのパチスロ機の前面には開閉可能な前面扉が設けられ、この前面扉を開けると電源や各種スイッチが設けられた電源ボックスが現れるようになっている。
図９に示されるように、この電源ボックス１にはパチスロ機の当選確率を設定変更するための設定キー装置２、リセットボタン３、電源ボタン４が設けられている。この設定キー装置２には鍵穴５が形成され、この鍵穴５に別途に用意された設定キー６を差し込んで設定キー６を一定方向に回して電源ボックス１をオン状態にして、前記電源ボタン４等を操作することにより前記パチスロ機の当選確率を設定変更できるようになっている。
従って、前記パチスロ機の当選確率が店舗側の意向と異なって勝手に変更されないように前記設定キー６は店長やホール責任者等の限られた人間のみが所持するようになっている。
しかし、不法、不正に前記設定キー６を入手した者が設定キー６を使用して電源ボックス１を操作して前記パチスロ機の当選確率を勝手に高くした状態でパチスロ機でプレーすると店舗側に大きな損害をもたらすことになる。
そこで、前記電源ボックス１の当選確率を変更する不正行為が行われた場合に当該不正行為を確実に検出することができる装置が提案されている（特許文献１）。
しかし、この装置はパチスロ機の配線に取り付けて使用する装置であるため装置の着脱が煩雑になると共に不正開錠等の不正行為を未然に抑止する効果は期待できない。
【特許文献１】特開２００３−７９８０８号公報
【発明の開示】
【発明が解決しようとする課題】
【０００３】
本発明は、上記事実に鑑みなされたものであり、着脱が簡単であると共に不正開錠行為を抑止することが可能で、さらには不正開錠行為が続行された場合は不正開錠行為を未然に防止することが可能な不正開錠抑止防止装置を提供するものである。
【課題を解決するための手段】
【０００４】
請求項１の発明は、鍵穴に鍵穴挿入取付体の鍵穴挿入部が挿入された状態で配設される不正開錠抑止防止装置であって、前記鍵穴挿入部に出没可能に配設されたフックと、このフックの出没を調節するフック出没調節体と、前記鍵穴挿入取付体に設けられたセンサーと、を有してなることを特徴としている。
請求項２の発明は、鍵穴に鍵穴挿入取付体の鍵穴挿入部が挿入された状態で配設される不正開錠抑止防止装置であって、前記鍵穴挿入部に出没可能に配設されたフックと、このフックの出没を調節するフック出没調節体と、前記鍵穴挿入取付体に固定されたトッププレートに貫通形成されると共に前記鍵穴挿入部が挿通する第１の鍵穴挿入部挿通部と、前記トッププレートに貫通形成されると共に前記フックが挿通する第１のフック挿通部と、前記鍵穴挿入取付体に内蔵されたセンサーと、を有してなることを特徴としている。
請求項３の発明は、鍵穴に鍵穴挿入取付体の鍵穴挿入部が挿入された状態で配設される不正開錠抑止防止装置であって、前記鍵穴挿入取付体に形成されたフック収容溝と、このフック収容溝に出没可能に収容されたフックと、前記鍵穴挿入取付体に取り付けられると共に前記フック収容溝に収容されたフックの出没を調節するフック出没調節体と、前記シリンダードラムのドラム部の先端部に取り付けらたトッププレートに貫通形成されると共に前記鍵穴挿入部が挿通する第１の鍵穴挿入部挿通部と、前記トッププレートに貫通形成されると共に前記フックが挿通する第１のフック挿通部と、前記フック出没調節体に取り付けられたプッシャーケースと、このプッシャーケースの先端部に貫通形成されると共に前記鍵穴挿入部が挿通する第２の鍵穴挿入部挿通部と、前記プッシャーケースを前方向に付勢する弾性体と、前記鍵穴挿入取付体に内蔵されたセンサーと、を有してなることを特徴としている。
請求項４の発明は、鍵穴に鍵穴挿入取付体の鍵穴挿入部が挿入された状態で配設される不正開錠抑止防止装置であって、前記鍵穴挿入取付体に形成された第１フック収容溝、第２フック収容溝、第３フック収容溝と、前記第１フック収容溝に出没可能に収容された第１フックと、前記第２フック収容溝に出没可能に収容された第２フックと、前記第３フック収容溝に出没可能に収容された第３フックと、前記鍵穴挿入取付体に取り付けられると共に前記第１フック、第２フック、第３フックの出没を調節するフック出没調節体と、前記鍵穴挿入取付体の円柱部の先端に固定されたトッププレートに貫通形成されると共に前記鍵穴挿入部が挿通するトッププレート鍵穴挿入部挿通部と、前記トッププレートに貫通形成されると共に前記第１フックが挿通するトッププレート第１フック挿通部と、前記トッププレートに貫通形成されると共に前記第２フックが挿通するトッププレート第２フック挿通部と、前記トッププレートに貫通形成されると共に前記第３フックが挿通するトッププレート第３フック挿通部と、前記フック出没調節体に移動可能に取り付けられたプッシャーケースと、このプッシャーケースの先端部に貫通形成されると共に前記鍵穴挿入部が挿通するプッシャーケース鍵穴挿入部挿通部と、前記プッシャーケースの先端部に貫通形成されると共に前記第１フックが挿通するプッシャーケース第１フック挿通部と、前記プッシャーケースの先端部に貫通形成されると共に前記第２フックが挿通するプッシャーケース第２フック挿通部と、前記プッシャーケースに内蔵されると共にプッシャーケースを前方向に付勢する弾性体と、前記円柱部に内蔵されたセンサーと、を有してなることを特徴としている。
【発明の効果】
【０００５】
本発明は、不正開錠抑止防止装置は着脱が極めて簡単であるという優れた効果を有する。
本発明は、不正開錠抑止防止装置の鍵穴挿入部だけが鍵穴に挿入された状態で配設されるので不正開錠を行おうとする者は前記不正開錠抑止防止装置が視野に入るため不正開錠を行うと通報等がなされるという警戒心を抱き、これにより心理的に不正開錠を思いとどませることにより不正開錠を抑止できるという優れた効果を有する。
本発明は、不正開錠を行おうとして不正開錠抑止防止装置を取り外そうとするとセンサーが感知して通報、警報等がなされるため鍵の不正開錠を未然に防止できるという優れた効果を有する。
また、本発明の不正開錠抑止防止装置は部品点数が少なく構造も簡単であるので、経済的に需要者に提供できるという優れた効果を有する。
【発明を実施するための最良の形態】
【０００６】
発明を実施するために最良の形態の例として以下のような実施例を示す。
【実施例１】
【０００７】
図１〜図８には本発明に係る不正開錠抑止防止装置の一実施例が示されている。なお、この実施例では本発明の不正開錠抑止防止装置を遊技機であるパチスロ機の電源ボックスに使用する場合を例にして説明する。また、図中矢印Ａ１，Ａ２方向は不正開錠抑止防止装置の前後方向を示す。
図１〜図４に示されるように、本発明の不正開錠抑止防止装置１０の中央部には前後方向に沿って鍵穴挿入取付体１４が設けられている。この鍵穴挿入取付体１４の先端部には前記鍵穴５（図９参照）に直接挿入される板状の鍵穴挿入部１６が形成されている。この鍵穴挿入部１６の先端部１６Ａは図３に示されるように平面視鋭角状に形成され、前記鍵穴６の内部に設定キー装置２のタンブラーピン（図示せず）が配設されていてもスムーズに挿入できるようになっている。
図４に示されるように、前記鍵穴挿入取付体１４の中間部には鍵穴挿入部１６に連続して円柱部１８が形成されている。また、前記鍵穴挿入取付体１４の後端部には円柱部１８に連続して取手部２０が突設されている。この取手部２０の先端にはホルダーリング（図示せず）等を取り付けることができるようにホルダー取付孔２０Ａが貫通形成されている。
図３及び図５に示されるように、前記鍵穴挿入取付体１４の鍵穴挿入部１６と円柱部１８の上部には鍵穴挿入取付体１４の前後方向に沿って第１フック収容溝２１が連続形成され、前記鍵穴挿入取付体１４の鍵穴挿入部１６と円柱部１８の下部には鍵穴挿入取付体１４の前後方向に沿って第２フック収容溝２２が連続形成されている。また、前記鍵穴挿入取付体１４の鍵穴挿入部１６と円柱部１８の側部には鍵穴挿入取付体１４の前後方向に沿って第３フック収容溝２３が連続形成されている。
図１〜図３に示されるように、前記鍵穴挿入取付体１４の円柱部１８の外側には後述するフックの出没量を調節するフック出没調節体としての円筒状のフック出没調節ドラム２４が回転可能に配設されている。
図６に示されるように、このフック出没調節ドラム２４に形成されると共に前記鍵穴挿入取付体１４の円柱部１８が挿入される円柱部挿入部２６の内周面上部には第１フック係止段部３１が形成されている。また、前記円柱部挿入部２６の内周面下部には第２フック係止段部３２が形成され、フック出没調節ドラム２４の円柱部挿入部２６の内周面側部には第３フック係止段部３３が形成されている。
前記第１フック係止段部３１と第３フック係止段部３３の間には第１フック出没調節曲面３４が形成され、第２フック係止段部３２と第１フック係止段部３１の間には第２フック出没調節曲面３６が形成され、第３フック係止段部３３と第２フック係止段部３２の間には第３フック出没調節曲面３８が形成されている。
なお、前記第１フック出没調節曲面３４の厚み寸法Ｘ１は第１フック係止段部３１近傍が薄く第１フック係止段部３１から離れるに従って徐々に厚くなるように形成されている。また、第２フック出没調節曲面３６の厚み寸法Ｘ２も第２フック係止段部３２近傍が薄く第２フック係止段部３２から離れるに従って徐々に厚くなるように形成されている。同様に第３フック出没調節曲面３８の厚み寸法Ｘ３も第３フック係止段部３３近傍が薄く第３フック係止段部３３から離れるに従って徐々に厚くなるように形成されている。
また、前記フック出没調節ドラム２４の外周部には摘み部４２と摘み部４４が突設されている。
図２及び図３に示されるように、前記フック出没調節ドラム２４に形成されたフロントプレート嵌入部４０には円板状のフロントプレート５０が嵌合されている。
図４に示されるように、前記フロントプレート５０の中央部には前記鍵穴挿入取付体１４の取手部２０が挿通する取手部挿通孔５２が貫通形成されている。
また、前記鍵穴挿入取付体１４の円柱部１８の先端には円板状のトッププレート６０が固定されている。このトッププレート６０の中央部には前記鍵穴挿入部１６が挿通する第１の鍵穴挿入部挿通部としてのトッププレート鍵穴挿入部挿通部６２が貫通形成されている。また、このトッププレート鍵穴挿入部挿通部６２の上部には連続して第１のフック挿通部としてのトッププレート第１フック挿通部６４が切り欠き形成され、トッププレート鍵穴挿入部挿通部６２の下部には第１のフック挿通部としてのトッププレート第２フック挿通部６６が切り欠き形成されている。さらに、トッププレート鍵穴挿入部挿通部６２の側部には連続して第１のフック挿通部としてのトッププレート第３フック挿通部６８が切り欠き形成されている。なお、前記トッププレート第１フック挿通部６４は前記第１フック収容溝２１に対応し、トッププレート第２フック挿通部６６は前記第２フック収容溝２２に対応し、トッププレート第３フック挿通部６８は第３フック収容溝２３に対応するようになっている。
図２及び図３に示されるように、前記フック出没調節ドラム２４の円柱部挿入部２６の外側にはプッシャーケース７０がフック出没調節ドラム２４に対して前後方向（矢印Ａ１，Ａ２方向）に摺動可能に取り付けられている。なお、このプッシャーケース７０は前方向（矢印Ａ１方向）に摺動しすぎるとプッシャーケース７０の係止片７１が前記トッププレート６０と係止し、プッシャーケース７０が脱落しないようになっている。
図４に示されるように、前記プッシャーケース７０の先端部に形成された先端板部７２の中央部には前記鍵穴挿入取付体１４の鍵穴挿入部１６が挿通する第２の鍵穴挿入部挿通部としての円形状のプッシャーケース鍵穴挿入部挿通部７３が貫通形成されている。なお、このプッシャーケース鍵穴挿入部挿通部７３には前記鍵穴挿入部１６と共に後述する第３フックの挿通されるようになっている。
また、前記プッシャーケース鍵穴挿入部挿通部７３の上部には連続して第２のフック挿通部としてのプッシャーケース第１フック挿通部７４が切り欠き形成され、下部には連続して第２のフック挿通部としてのプッシャーケース第２フック挿通部７６が切り欠き形成されている。なお、前記プッシャーケース第１フック挿通部７４は前記第１フック収容溝２１に対応し、プッシャーケース第２フック挿通部７６は前記第２フック収容溝２２に対応するようになっている。
図２及び図３に示されるように、前記プッシャーケース７０の内側には弾性体としてのコイルバネ７８が配設されている。このコイルバネ７８の先端部７８Ａは前記プッシャーケース７０の先端板部７２に当接し、コイルバネ７８の基端部７８Ｂは前記トッププレート６０に当接している。従って、前記プッシャーケース７０はコイルバネ７８によって前方向（図矢印Ａ１方向）に常時付勢されている。
図４に示されるように、前記鍵穴配設体１４の第１フック収容溝２１にはワイヤーを折り曲げて形成された第１フック８１が、前記第２フック収容溝２２にはワイヤーを折り曲げて形成された第２フック８２が、前記第３フック収容溝２３にはワイヤーを折り曲げて形成された第３フック８３が、それぞれ出没可能に収容されるようになっている。なお、この第１フック８１と第２フック８２は同じ長さに形成されているが、第３フック８３は第１フック８１、第２フック８２より長く形成されている。
前記第１フック８１，第２フック８２，第３フック８３の先端部には鉤状の鍵穴係止部８１Ａ，８２Ａ，８３Ａが形成され、中間部にはトッププレート当接部８１Ｂ，８２Ｂ，８３Ｂが形成され、基端部にはフロントプレート当接部８１Ｃ，８２Ｃ，８３Ｃが形成されている。また、トッププレート当接部８１Ｂ，８２Ｂ，８３Ｃとフロントプレート当接部８１Ｃ，８２Ｃ，８３Ｃの間にはフック出没調節ドラム当接部８１Ｄ，８２Ｄ，８３Ｄが傾斜して形成されている。
図２及び図３に示されるように、前記第１フック収容溝２１，第２フック収容溝２２，第３フック収容溝２３に収容された第１フック８１，第２フック８２，第３フック８３の鍵穴係止部８１Ａ，８２Ａ，８３Ａはプッシャーケース７０から突出し、トッププレート当接部８１Ｂ，８２Ｂ，８３Ｂはトッププレート６０に当接し、フロントプレート当接部８１Ｃ，８２Ｃ，８３Ｃはフロントプレート５０に当接するようになっている。また、フック出没調節ドラム当接部８１Ｄ，８２Ｄ，８３Ｄはフック出没調節ドラム２４に当接するようになっている。
なお、前記第１フック８１のフック出没調節ドラム当接部８１Ｄ、第２フック８２のフック出没調節ドラム当接部８２Ｄ、第３フック８３のフック出没調節ドラム当接部８３Ｄがそれぞれ前記フック出没調節ドラム２４の前記第１フック係止段部３１、第２フック係止段部３２、第３フック係止段部３３近傍に対応している場合は前記フック出没調節ドラム当接部８１Ｄ、フック出没調節ドラム当接部８２Ｄ、フック出没調節ドラム当接部８３Ｄはフック出没調節ドラム２４に強く押圧されないので、前記第１フック８１の鍵穴係止部８１Ａは第１フック収容溝２１から突出し、第２フック８２の鍵穴係止部８２Ａは第２フック収容溝２２から突出し、第３フック８３の鍵穴係止部８３Ａは第３フック収容溝２３から突出するようになっている（図２及び図３に示す状態）。
また、前記フック出没調節ドラム２４を図５矢印Ｂ２方向に回転させることにより前記フック出没調節ドラム当接部８１Ｄが第１フック係止段部３１から離れるにしたがってフック出没調節ドラム当接部８１Ｄは第１フック出没調節曲面３４に強く押圧され、前記フック出没調節ドラム当接部８２Ｄが第２フック係止段部３２から離れるにしたがってフック出没調節ドラム当接部８２Ｄは第２フック出没調節曲面３６に強く押圧され、前記フック出没調節ドラム当接部８３Ｄが第３フック係止段部３３から離れるにしたがってフック出没調節ドラム当接部８３Ｄは第３フック出没調節曲面３８に強く押圧されるため、第１フック８１の鍵穴係止部８１Ａは第１フック収容溝２１に没入し、第２フック８２の鍵穴係止部８２Ａは第２フック収容溝２２に没入し、第３フック８３の鍵穴係止部８３Ａは第３フック収容溝２３に没入するようになっている。
図３に示されるように、前記鍵穴挿入取付体１４の円柱部１８にはセンサー収容穴８６（想像線で示す）が形成され、このセンサー収容穴８６にセンサー８８（想像線で示す）が収容されて適宜固定手段で固定されている。このセンサー８８は公知のセンサーであって、前記不正開錠抑止防止装置１０に生じた振動や衝撃等の外部要因を敏感に感知して店舗の内外に設けられた図示しない適宜の通報装置、警報装置等の防犯装置を作動させるようになっている。
なお、図４に示されるように、前記トッププレート６０と鍵穴挿入取付体１４とフロントプレート５０は長ネジ９０，９０を介して固定されるようになっている。
【０００８】
次に、実施例の不正開錠抑止防止装置１０の作用を説明する。
実施例の不正開錠抑止防止装置１０をパチスロ機の電源ボックス１の設定キー装置２の鍵穴５に取り付ける場合は、フック出没調節ドラム２４を矢印Ｂ２方向に回して第１フック出没調節曲面３４で第１フック８１のフック出没調節ドラム当接部８１Ｄを、第２フック出没調節曲面３６で第２フック８２のフック出没調節ドラム当接部８２Ｄを、第３フック出没調節曲面３８で第３フック８３のフック出没調節ドラム当接部８３Ｄを、強く押圧して前記第１フック８１、第２フック８２、第３フック８３を没入状態にしておいて、前記不正開錠抑止防止装置１０の鍵穴挿入部１６を前記鍵穴５に挿入する。
そして、鍵穴挿入部１６を鍵穴５に挿入したら片手で不正開錠抑止防止装置１０の取手部２０が持ちながら片手でフック出没調節ドラム２４の摘み部４２，４４を摘みながらフック出没調節ドラム２４を矢印Ｂ１方向に回転させる。このフック出没調節ドラム２４が矢印Ｂ１方向に回転するとフック出没調節ドラム２４の第１フック係止段部３１と第１フック８１のフック出没調節ドラム当接部８１Ｄが接近し、第２フック係止段部３２と第２フック８２のフック出没調節ドラム当接部８２Ｄが接近し、第３フック係止段部３３と第３フック８３のフック出没調節ドラム当接部８３Ｄが接近するので第１フック８１の鍵穴係止部８１Ａは第１フック収容溝２１から突出し、第２フック８２の鍵穴係止部８２Ａは第２フック収容溝２２から突出し、第３フック８３の鍵穴係止部８３Ａは第３フック収容溝２３から突出する。
これにより、前記鍵穴係止部８１Ａ、鍵穴係止部８２Ａ、鍵穴係止部８３Ａはそれぞれ鍵穴５の中に配設されているタンブラーピンや凹凸部（図示せず）に引っ掛かって係止する。また、前記プッシャーケース７０の先端板部７２はコイルバネ７８によって付勢されて前記電源ボックス１の正面板部１Ａを押圧する状態になる。
従って、前記不正開錠抑止防止装置１０は極めて簡単な操作で電源ボックス１に確実に取り付けることができる。
この結果、前記不正開錠抑止防止装置１０の鍵穴挿入部１６は鍵穴５に挿入されるが、不正開錠抑止防止装置１０の鍵穴挿入取付体１４の取手部２０やフック出没調節ドラム２４等は前記鍵穴５から突出した状態となる。
従って、不正手段等により設定キー６を入手して電源ボックス１の不正開錠を行おうとする者は不正開錠を行う前に前記電源ボックス１の鍵穴５に差し込まれている不正開錠抑止防止装置１０が自然と視野に入る。
このため、不正に開錠を行おうとする者は鍵穴５に配設されている不正開錠抑止防止装置１０に警戒感を持つと共に前記フック出没調節ドラム２４の摘み部４２，４４を触ったり、フック出没調節ドラム２４を引っ張ったりして不正開錠抑止防止装置１０を取り外そうとするとセンサー等が不正開錠行為を感知して不正開錠が知られてしまう等と想像する。
この結果、不正に開錠を行おうとする者の心に不安感等が浮かんで不正開錠の抑止効果が働いて、不正開錠を未然に防ぐことができる。
また、不正に開錠を行う者が前記不正開錠抑止防止装置１０を見ても不正開錠の抑止効果が働かずに不正開錠を行おうとして鍵穴５から突出している前記フック出没調節ドラム２４の摘み部４２，４４を触ったり、フック出没調節ドラム２４を引っ張ったりして不正開錠抑止防止装置１０を取り外そうとすると、これにより生じた振動や衝撃等をセンサー８８が感知して適宜の通報装置、警報装置を作動させる。
この結果、不正開錠を行おうとする者は適宜の通報装置、警報装置の作動により生じたアクション（サイレンが鳴る、警告ランプの点滅、警備員の出動等）によって不正開錠行為を止めるので不正開錠を未然に防止することができる。
なお、前記不正開錠抑止防止装置１０を電源ボックス２から取り外す場合は、片手で不正開錠抑止防止装置１０の取手部２０が持ちながら片手でフック出没調節ドラム２４の摘み部４２，４４を摘みながらフック出没調節ドラム２４を矢印Ｂ２方向に回転させる。このフック出没調節ドラム２４が矢印Ｂ２方向に回転すると第１フック８１のフック出没調節ドラム当接部８１Ｄは第１フック出没調節曲面３４に押圧され、第２フック８２のフック出没調節ドラム当接部８２Ｄは第２フック出没調節曲面３６に押圧され、第３フック８３のフック出没調節ドラム当接部８３Ｄは第３フック出没調節曲面３８に押圧されるので、第１フック８１の鍵穴係止部８１Ａは第１フック収容溝２１に、第２フック８２の鍵穴係止部８２Ａは第２フック収容溝２２に、第３フック８３の鍵穴係止部８３Ａは第３フック収容溝２３に、それぞれ没入する。
従って、前記不正開錠抑止防止装置１０を後方向（図矢印Ａ２方向）に軽く引けば前記鍵穴６に挿入されている鍵穴挿入部１６を抜くことができ、これにより不正開錠抑止防止装置１０を電源ボックス１から取り外すことができる。
従って、前記不正開錠抑止防止装置１０は極めて簡単な操作で電源ボックス１に着脱することができる。
また、本発明の不正開錠抑止防止装置１０は部品点数が少なく構造も簡単であるので、経済的に不正開錠抑止防止装置１０を需要者に提供することができる。
なお、本発明の不正開錠抑止防止装置１０は簡単にパチスロ機の電源ボックス１に着脱できるので、パチスロ機やパチンコ機等の機種等にとらわれずに着脱することができるので、極めて使い勝手がよい。
【０００９】
なお、実施例では遊技機であるパチスロ機の電源ボックス１に配設する場合を例にして本発明を説明したが、本願発明の不正開錠抑止防止装置１０の適用範囲はパチスロ機やパチンコ機等の遊技機に限定されるものでなく、例えば一般家庭のドア等に適用してもよいことは勿論である。
また、実施例では第１フック８１、第２フック８２、第３フック８３の３本のフックを使用した場合を説明したが、フックは３本に限定されるものでなく、フックは２本以下でも４本以上でもよいことは勿論である。
なお、実施例では第１フック８１、第２フック８２、第３フック８３をワイヤーで形成したが、第１フック８１、第２フック８２、第３フック８３の材料はワイヤーに限定されるものでないことは勿論である。また、第１フック８１，第２フック８２，第３フック８３の鍵穴係止部８１Ａ，８２Ａ，８３Ａの折り曲げ角度は図面に示した角度に限定されるものでないことは勿論である。
なお、実施例では前記センサー８６を鍵穴挿入取付体１４の円柱部１８に取り付けたが、センサー８８の取付箇所は鍵穴挿入取付体１４の円柱部１８に限定されるものでないことは勿論である。
【図面の簡単な説明】
【００１０】
【図１】実施例の不正開錠抑止防止装置の全体斜視図である。
【図２】実施例の不正開錠抑止防止装置の一部縦断面図である。
【図３】実施例の不正開錠抑止防止装置の一部横断面図である。
【図４】実施例の不正開錠抑止防止装置の分解斜視図である。
【図５】実施例の不正開錠抑止防止装置の鍵穴挿入取付体の側面図である。
【図６】実施例の不正開錠抑止防止装置のフック出没調節ドラムの正面図である。
【図７】実施例の不正開錠抑止防止装置のトッププレートの正面図である。
【図８】実施例の不正開錠抑止防止装置のプッシャープレートの正面図である。
【図９】実施例の不正開錠抑止防止装置が取り付けられるパチスロ機の電源ボックスの概略正面図である。
【符号の説明】
【００１１】
１０    不正開錠抑止防止装置
１４    鍵穴挿入取付体
１６    鍵穴挿入部
１８    円柱部
２０    取手部
２１    第１フック収容溝
２２    第２フック収容溝
２３    第３フック収容溝
２４    フック出没調節ドラム
２６    円柱部挿入部
３１    第１フック係止段部
３２    第２フック係止段部
３３    第３フック係止段部
３４    第１フック出没調節曲面
３６    第２フック出没調節曲面
３８    第３フック出没調節曲面
５０    フロントプレート
６０    トッププレート
６２    トッププレート鍵穴挿入部挿通部
６４    トッププレート第１フック挿通部
６６    トッププレート第２フック挿通部
６８    トッププレート第３フック挿通部
７０    プッシャーケース
７２    先端板部
７３    プッシャーケース鍵穴挿入部挿通部
７４    プッシャーケース第１フック挿通部
７６    プッシャーケース第２フック挿通部
７８    コイルバネ
８１    第１フック
８２    第２フック
８３    第３フック
８８    センサー
【図１】
2008127835.tif 000003
【図２】
2008127835.tif 000004
【図３】
2008127835.tif 000005
【図４】
2008127835.tif 000006
【図５】
2008127835.tif 000007
【図６】
2008127835.tif 000008
【図７】
2008127835.tif 000009
【図８】
2008127835.tif 000010
【図９】
2008127835.tif 000011